(57)【要約】  【課題】  従来の肩パット部材は外表面部が木材、挿入部が硬質合成樹脂で形成されているため接続部材が必要であるとともに、トルソ本体とは意匠的に違和感があった。  【解決手段】  外表面部２と、外表面２の裏側に外表面に対して斜めに突起する挿入部３とを硬質合成樹脂で一体に形成するとともに、外表面部２は円板状全周囲を裏側に湾曲させてなる湾曲部４を有し、挿入部３は二枚の挿入板状体５を間隔をおいて平行に設け、かつ二枚の挿入板状体５の基部側で二枚の挿入板状５体間に強化板６を設けてなるディスプレイ用トルソ１０の肩パット部材１による。【選択図】  図１
2006346363.tif 000002
【特許請求の範囲】
【請求項１】
外表面部と、外表面の裏側に外表面に対して斜めに突起する挿入部とを硬質合成樹脂で一体に形成するとともに、外表面部は円板状全周囲を裏側に湾曲させてなる湾曲部を有し、挿入部は二枚の挿入板状体を間隔をおいて平行に設け、かつ二枚の挿入板状体の基部側で二枚の挿入板状体間に強化板を設けてなることを特徴とするディスプレイ用トルソの肩パット部材。
【請求項２】
外表面部と、外表面の裏側に外表面に対して斜めに突起する挿入部とを硬質合成樹脂で一体に形成するとともに、外表面部は円板状全周囲を裏側に湾曲させてなる湾曲部を有し、挿入部は二枚の挿入板状体を間隔をおいて平行に設け、かつ二枚の挿入板状体の基部側で二枚の挿入板状体間に強化板を設け、強化板は先端部側にＶ字形状の切欠部を有してなることを特徴とするディスプレイ用トルソの肩パット部材。
【発明の詳細な説明】
【技術分野】
【０００１】
この発明は、ディスプレイ用トルソに使用する肩パット部材、詳細には腕を着脱できる腕装着可能な腕無しタイプのディスプレイ用トルソに使用する肩パット部材に関する。
【背景技術】
【０００２】
ディスプレイ用トルソには、腕付きタイプと、腕無しタイプがあり、腕無しタイプは常時腕無しタイプ２０（図８参照）と、必要なときに腕を取り付ける腕装着可能な腕無しタイプ１０（図３参照）がある。
【０００３】
そして図３に示す腕装着可能な腕無しタイプのディスプレイ用トルソ１０は、展示に必要な場合に腕を付け（図４）、腕が不必要な場合は腕を取り外して（図５，図６参照）展示する。また腕装着可能な腕無しタイプのディスプレイ用トルソ１０は、腕の着脱のために腕の付け根である肩部１１に、腕との接続部１２を設けている。
【０００４】
一般的に、腕の接続部１２は図３に示すように台形状に突起した部分１３のほぼ中央部に四角筒状の接続孔１４が開いており、その接続孔１４に腕の接続突起を挿入して腕１５を取り付けている。
【０００５】
そのため腕を装着しないで展示する場合、見物人からその接続孔１４を意匠的な見地から隠すため、従来は図５及び図６に示すように肩パット部材１６を取り付けて接続孔１４を被覆していた。図６は、図５のＡ矢視図である。
【発明の開示】
【発明が解決しようとする課題】
【０００６】
しかし図５、図６及び図７に示す従来の肩パット部材１６は、外表面部１７が木材で形成され挿入部１８が硬質合成樹脂で形成されており、それらを接続するためにネジやビス１９が必要であった。
【０００７】
また、外表面部１７が木材で形成されているため、肩パット部材１６をディスプレイ用トルソ１０の肩部１１に取り付けたとき硬質合成樹脂で表面が形成されているトルソ本体１０とは意匠的に違和感があった。
【０００８】
更に、従来の四角円筒状の挿入部１８であるとディスプレイ用トルソ１０の肩部１１の接続孔１４より外れやすいという問題点があった。
【課題を解決するための手段】
【０００９】
上記課題を解決するために、外表面部と、外表面の裏側に外表面に対して斜めに突起する挿入部とを硬質合成樹脂で一体に形成するとともに、外表面部は円板状全周囲を裏側に湾曲させてなる湾曲部を有し、挿入部は二枚の挿入板状体を間隔をおいて平行に設け、かつ二枚の挿入板状体の基部側で二枚の挿入板状体間に強化板を設けてなることを特徴とするディスプレイ用トルソの肩パット部材を提案する。
【００１０】
更に、外表面部と、外表面の裏側に外表面に対して斜めに突起する挿入部とを硬質合成樹脂で一体に形成するとともに、外表面部は円板状全周囲を裏側に湾曲させてなる湾曲部を有し、挿入部は二枚の挿入板状体を間隔をおいて平行に設け、かつ二枚の挿入板状体の基部側で二枚の挿入板状体間に強化板を設け、強化板は先端部側にＶ字形状の切欠部を有してなることを特徴とするディスプレイ用トルソの肩パット部材を提案する。
【発明の効果】
【００１１】
この発明によれば、外表面部と挿入部を硬質合成樹脂で一体に形成するため、ディスプレイ用トルソの肩部に取り付けた場合、同じ硬質合成樹脂で形成されるため、外観がよく意匠的な違和感がない。また、二種の部材をネジ止めやビス止めする必要がなく製造作業効率が向上するとともに製造コストも軽減される。
【００１２】
更に、外表面部の円板状全周囲を裏側に湾曲させているため、ディスプレイ用トルソの肩部の接続部が台上に突出していても、それらを被覆できる。
【発明を実施するための最良の形態】
【００１３】
この発明のディスプレイ用トルソの肩パット部材を実施形態である図１乃至図３に基づいて説明する。図１は、ディスプレイ用トルソの肩パット部材の裏面図であり、図２はディスプレイ用トルソの肩パット部材をディスプレイ用トルソの肩部に取り付けた状態の表側からみた図である。図３は腕装着可能な腕無しタイプのディスプレイ用トルソの肩部である。
【００１４】
この発明の腕装着可能な腕無しタイプのディスプレイ用トルソ１０の肩パット部材１は、外表面部２と、外表面２の裏側に外表面２に対して斜めに突起する挿入部３とからなり、外表面部２と挿入部３は硬質合成樹脂で一体に形成される。
【００１５】
外表面部２は、全体に等厚の円板状であり、円盤状の全周囲を裏側に湾曲させてなる湾曲部４を有する。外表面部２は、別な形容をすれば底が広い平円面である椀状体からなる。
【００１６】
挿入部３は、二枚の挿入板状体５、５を間隔をおいて平行に設け、かつ二枚の挿入板状体５、５の基部側で二枚の挿入板状体５、５間に強化板６を設けてなる。挿入板状体５、５の先端側は、柔軟性があり互いに間隔を柔軟に変化させることができる。
【００１７】
強化板６は、その平面を挿入板状体５、５の平面とほぼ直角となるように一体に形成される。強化板６は、先端部側にＶ字形状の切欠部７を有してなる。
【００１８】
ディスプレイ用トルソ１０の肩部１１にある接続部１２の接続孔１４に、この発明の実施形態である肩パット部材１を取り付ける場合、挿入板状体５、５を挿入して取り付けるが、二枚の挿入板状体５、５の間隔が、ほぼ接続孔１４の角筒の内径と同じで且つ先端部が柔軟性を有しているため、挿入しやすいとともに、挿入後は内壁へ張り付くので簡単には抜けない。
【００１９】
また、ディスプレイ用トルソ１０の肩部１１に挿入部３を挿入した場合、外表面部２の周囲の湾曲部４が、台形状１３の周囲を囲うように位置するため接続部１２全体が外表面部２に被覆され、意匠的な外観が向上する。
【産業上の利用可能性】
【００２０】
腕装着可能な腕無しタイプのディスプレイ用トルソに利用でき、様々な衣服の展示に利用性が高い。
【図面の簡単な説明】
【００２１】
【図１】この発明の実施形態であるディスプレイ用トルソの肩パット部材の裏面図
【図２】この発明の実施形態であるディスプレイ用トルソの肩パット部材をディスプレイ用トルソの肩部に取り付けた状態をトルソ側面から見た部分図
【図３】腕装着可能な腕無しタイプのディスプレイ用トルソの部分図
【図４】腕装着可能な腕無しタイプのディスプレイ用トルソに腕を取り付けた部分図
【図５】従来技術であるディスプレイ用トルソの肩パット部材をディスプレイ用トルソの肩部に取り付けた状態をトルソ側面から見た部分図
【図６】従来技術であり図５のＡ矢視図
【図７】従来技術の肩パット部材の斜視図
【図８】腕無しディスプレイ用トルソの部分図
【符号の説明】
【００２２】
１  ディスプレイ用トルソの肩パット部材    
２  外表面部  
３  挿入部
４  湾曲部  
５  挿入板状体
６  強化板
７  切欠部
１０  腕装着可能な腕無しタイプのディスプレイ用トルソ
１１  肩部
１２  接続部
１３  台形状部
１４  接続孔
１５  腕
１６  肩パット部材（従来技術）
１７  外表面部（従来技術）
１８  挿入部（従来技術）
１９  ネジ、ビス
２０  常時腕無しタイプのディスプレイ用トルソ
【図１】
2006346363.tif 000003
【図２】
2006346363.tif 000004
【図３】
2006346363.tif 000005
【図４】
2006346363.tif 000006
【図５】
2006346363.tif 000007
【図６】
2006346363.tif 000008
【図７】
2006346363.tif 000009
【図８】
2006346363.tif 000010